(57)【要約】【課題】モニタに表示される被写体の映像の色を、観察者が被写体を視覚で認識した色と実質的に同じ色とすることができる映像信号表示方法を提供する。【解決手段】被写体１０にモニタ２０ａからの光を照射して、被写体１０をカメラ３０によって撮影してＲＧＢ信号よりなる映像信号を生成する。映像信号をモニタ２０ｂに供給する。モニタ２０ａ，２０ｂは基準モニタである。モニタ２０ｂは、基準モニタにＲ，Ｇ，Ｂの値を複数設定した映像を表示させ、映像をカメラ３０によって撮影したときのＲ，Ｇ，Ｂの値と、ＸＹＺ表色系の三刺激値を測定したＸ，Ｙ，Ｚの値との対応関係を表すプロファイルを保持する。映像信号における第１のＲ，Ｇ，Ｂの値をプロファイルに基づいて第１のＸ，Ｙ，Ｚの値に変換する。第１のＸ，Ｙ，Ｚの値をモニタ２０ｂに即した第２のＲ，Ｇ，Ｂの値に変換して表示部に表示する。【選択図】図１
2015177484.tif 000002
【特許請求の範囲】
【請求項１】
基準モニタにＲ，Ｇ，Ｂの値を複数設定した映像を表示させて、前記映像をカメラによって撮影したときに生成されるＲＧＢ信号のＲ，Ｇ，Ｂの値と、前記映像のＸＹＺ表色系の三刺激値を測定したＸ，Ｙ，Ｚの値との対応関係を表すプロファイルを保持するプロファイル保持部と、
被写体に、基準モニタより発せられた光、または、基準モニタが有する光源より発せられた光を照明光として照射した状態で、前記被写体を前記カメラによって撮影することによって生成されたＲＧＢ信号における第１のＲ，Ｇ，Ｂの値を、前記プロファイルに基づいて第１のＸ，Ｙ，Ｚの値に変換するＸＹＺ表色系変換部と、
前記第１のＸ，Ｙ，Ｚの値を基準モニタである自己のモニタに即した第２のＲ，Ｇ，Ｂの値に変換するＲＧＢ変換部と、
前記第２のＲ，Ｇ，Ｂの値を有するＲＧＢ信号を前記自己のモニタの表示部に表示するよう前記表示部を駆動する駆動部と、
を備えることを特徴とするモニタ。
【請求項２】
前記プロファイルには、Ｒ，Ｇ，Ｂの値とＸ，Ｙ，Ｚの値との組が離散的に設定され、
前記プロファイルに設定されていないＸ，Ｙ，Ｚの値を補間する補間部を備える
ことを特徴とする請求項１記載のモニタ。
【請求項３】
基準モニタにＲ，Ｇ，Ｂの値を複数設定した映像を表示させて、前記映像をカメラによって撮影したときに生成されるＲＧＢ信号のＲ，Ｇ，Ｂの値と、前記映像のＸＹＺ表色系の三刺激値を測定したＸ，Ｙ，Ｚの値を基準モニタである自己のモニタに即したＲ，Ｇ，Ｂの値に変換したＲ，Ｇ，Ｂの値との対応関係を表すプロファイルを保持するプロファイル保持部と、
被写体に、基準モニタより発せられた光、または、基準モニタが有する光源より発せられた光を照明光として照射した状態で、前記被写体を前記カメラによって撮影することによって生成されたＲＧＢ信号における第１のＲ，Ｇ，Ｂの値を、前記プロファイルに基づいて前記自己のモニタに即した第２のＲ，Ｇ，Ｂの値に変換するＲＧＢ変換部と、
前記第２のＲ，Ｇ，Ｂの値を有するＲＧＢ信号を前記自己のモニタの表示部に表示するよう前記表示部を駆動する駆動部と、
を備えることを特徴とするモニタ。
【請求項４】
被写体に、基準モニタである第１のモニタより発せられた光、または、前記第１のモニタが有する光源より発せられた光を照明光として照射した状態で、前記被写体をカメラによって撮影してＲＧＢ信号よりなる映像信号を生成し、
前記映像信号を基準モニタである第２のモニタに供給し、
前記第２のモニタは、
基準モニタにＲ，Ｇ，Ｂの値を複数設定した映像を表示させて、前記映像を前記カメラによって撮影したときに生成されるＲＧＢ信号のＲ，Ｇ，Ｂの値と、前記映像のＸＹＺ表色系の三刺激値を測定したＸ，Ｙ，Ｚの値との対応関係を表すプロファイルを保持し、
前記映像信号における第１のＲ，Ｇ，Ｂの値を前記プロファイルに基づいて第１のＸ，Ｙ，Ｚの値に変換し、
前記第１のＸ，Ｙ，Ｚの値を前記第２のモニタに即した第２のＲ，Ｇ，Ｂの値に変換し、
前記第２のＲ，Ｇ，Ｂの値を有するＲＧＢ信号を表示部に表示する
ことを特徴とする映像信号表示方法。
【請求項５】
前記基準モニタは、液晶パネルと、前記液晶パネルに透過させる光を発する光源であるバックライトとを有する液晶モニタであり、
前記被写体に、前記バックライトより発せられ、前記液晶パネルを透過した光、または、前記液晶パネルを透過しない前記バックライトより発せられた光を前記照明光として照射する
ことを特徴とする請求項４記載の映像信号表示方法。
【請求項６】
被写体に、基準モニタである第１のモニタより発せられた光、または、前記第１のモニタが有する光源より発せられた光を照明光として照射した状態で、前記被写体をカメラによって撮影してＲＧＢ信号よりなる映像信号を生成し、
前記映像信号を基準モニタである第２のモニタに供給し、
前記第２のモニタは、
基準モニタにＲ，Ｇ，Ｂの値を複数設定した映像を表示させて、前記映像を前記カメラによって撮影したときに生成されるＲＧＢ信号のＲ，Ｇ，Ｂの値と、前記映像のＸＹＺ表色系の三刺激値を測定したＸ，Ｙ，Ｚの値を前記第２のモニタに即したＲ，Ｇ，Ｂの値に変換したＲ，Ｇ，Ｂの値との対応関係を表すプロファイルを保持し、
前記映像信号における第１のＲ，Ｇ，Ｂの値を前記プロファイルに基づいて第２のＲ，Ｇ，Ｂの値に変換し、
前記第２のＲ，Ｇ，Ｂの値を有するＲＧＢ信号を表示部に表示する
ことを特徴とする映像信号表示方法。
【発明の詳細な説明】
【技術分野】
【０００１】
本発明は、映像信号を表示するモニタ及び映像信号表示方法に関する。
【背景技術】
【０００２】
カメラが被写体を撮影し、モニタがカメラより出力された映像信号を表示する。この場合、モニタに表示された被写体の映像によって表現される色は、通常、観察者が被写体を実際に視覚で認識した色とは異なる。
【０００３】
モニタに表示される被写体の映像の色を、観察者が被写体を視覚で認識した色と同じ色にしたいという要望がある。この要望に対応するため、特許文献１には、被写体をマルチスペクトルカメラで撮影することが記載されている。
【０００４】
通常のカメラは、被写体の色を、Ｒ（赤），Ｇ（緑），Ｂ（青）の三原色に分解して、ＲＧＢ信号の映像信号を生成する。即ち、通常のカメラは、Ｒ，Ｇ，Ｂの３つのスペクトルによって被写体の色を表現する。一方、マルチスペクトルカメラは、３つより多い多数（例えば６つ）のマルチスペクトルによって被写体の色を表現する。
【先行技術文献】
【特許文献】
【０００５】
【特許文献１】特開平９−１７２６４９号公報
【特許文献２】特開２０１１−２４２０２号公報
【発明の概要】
【発明が解決しようとする課題】
【０００６】
マルチスペクトルカメラによって被写体を撮影した映像信号をモニタに表示する場合、次のような問題点を有する。マルチスペクトルカメラは特殊なカメラである。モニタは、Ｒ，Ｇ，Ｂによって色を表現する通常のモニタではなく、マルチスペクトルに対応した特殊なモニタでなければならない。
【０００７】
特許文献１に記載されている方法は、原理的には上記の要望に対応することが可能であるが、現実的には実現することが容易ではない。
【０００８】
そこで、ＲＧＢ信号の映像信号を生成する通常のカメラと、ＲＧＢ信号の映像信号を表示する通常のモニタとを用いて、モニタに表示される被写体の映像の色を、観察者が被写体を視覚で認識した色と実質的に同じ色とすることが求められる。
【０００９】
本発明は、通常のカメラを用いて、表示される被写体の映像の色を、観察者が被写体を視覚で認識した色と実質的に同じ色とすることができるモニタ、及び、通常のカメラと通常のモニタとを用いて、モニタに表示される被写体の映像の色を、観察者が被写体を視覚で認識した色と実質的に同じ色とすることができる映像信号表示方法を提供することを目的とする。
【課題を解決するための手段】
【００１０】
本発明は、上述した従来の技術の課題を解決するため、基準モニタにＲ，Ｇ，Ｂの値を複数設定した映像を表示させて、前記映像をカメラによって撮影したときに生成されるＲＧＢ信号のＲ，Ｇ，Ｂの値と、前記映像のＸＹＺ表色系の三刺激値を測定したＸ，Ｙ，Ｚの値との対応関係を表すプロファイルを保持するプロファイル保持部と、被写体に、基準モニタより発せられた光、または、基準モニタが有する光源より発せられた光を照明光として照射した状態で、前記被写体を前記カメラによって撮影することによって生成されたＲＧＢ信号における第１のＲ，Ｇ，Ｂの値を、前記プロファイルに基づいて第１のＸ，Ｙ，Ｚの値に変換するＸＹＺ表色系変換部と、前記第１のＸ，Ｙ，Ｚの値を基準モニタである自己のモニタに即した第２のＲ，Ｇ，Ｂの値に変換するＲＧＢ変換部と、前記第２のＲ，Ｇ，Ｂの値を有するＲＧＢ信号を前記自己のモニタの表示部に表示するよう前記表示部を駆動する駆動部とを備えることを特徴とするモニタを提供する。
【００１１】
本発明は、上述した従来の技術の課題を解決するため、基準モニタにＲ，Ｇ，Ｂの値を複数設定した映像を表示させて、前記映像をカメラによって撮影したときに生成されるＲＧＢ信号のＲ，Ｇ，Ｂの値と、前記映像のＸＹＺ表色系の三刺激値を測定したＸ，Ｙ，Ｚの値を基準モニタである自己のモニタに即したＲ，Ｇ，Ｂの値に変換したＲ，Ｇ，Ｂの値との対応関係を表すプロファイルを保持するプロファイル保持部と、被写体に、基準モニタより発せられた光、または、基準モニタが有する光源より発せられた光を照明光として照射した状態で、前記被写体を前記カメラによって撮影することによって生成されたＲＧＢ信号における第１のＲ，Ｇ，Ｂの値を、前記プロファイルに基づいて前記自己のモニタに即した第２のＲ，Ｇ，Ｂの値に変換するＲＧＢ変換部と、前記第２のＲ，Ｇ，Ｂの値を有するＲＧＢ信号を前記自己のモニタの表示部に表示するよう前記表示部を駆動する駆動部とを備えることを特徴とするモニタを提供する。
【００１２】
本発明は、上述した従来の技術の課題を解決するため、被写体に、基準モニタである第１のモニタより発せられた光、または、前記第１のモニタが有する光源より発せられた光を照明光として照射した状態で、前記被写体をカメラによって撮影してＲＧＢ信号よりなる映像信号を生成し、前記映像信号を基準モニタである第２のモニタに供給し、前記第２のモニタは、基準モニタにＲ，Ｇ，Ｂの値を複数設定した映像を表示させて、前記映像を前記カメラによって撮影したときに生成されるＲＧＢ信号のＲ，Ｇ，Ｂの値と、前記映像のＸＹＺ表色系の三刺激値を測定したＸ，Ｙ，Ｚの値との対応関係を表すプロファイルを保持し、前記映像信号における第１のＲ，Ｇ，Ｂの値を前記プロファイルに基づいて第１のＸ，Ｙ，Ｚの値に変換し、前記第１のＸ，Ｙ，Ｚの値を前記第２のモニタに即した第２のＲ，Ｇ，Ｂの値に変換し、前記第２のＲ，Ｇ，Ｂの値を有するＲＧＢ信号を表示部に表示することを特徴とする映像信号表示方法を提供する。
【００１３】
本発明は、上述した従来の技術の課題を解決するため、被写体に、基準モニタである第１のモニタより発せられた光、または、前記第１のモニタが有する光源より発せられた光を照明光として照射した状態で、前記被写体をカメラによって撮影してＲＧＢ信号よりなる映像信号を生成し、前記映像信号を基準モニタである第２のモニタに供給し、前記第２のモニタは、基準モニタにＲ，Ｇ，Ｂの値を複数設定した映像を表示させて、前記映像を前記カメラによって撮影したときに生成されるＲＧＢ信号のＲ，Ｇ，Ｂの値と、前記映像のＸＹＺ表色系の三刺激値を測定したＸ，Ｙ，Ｚの値を前記第２のモニタに即したＲ，Ｇ，Ｂの値に変換したＲ，Ｇ，Ｂの値との対応関係を表すプロファイルを保持し、前記映像信号における第１のＲ，Ｇ，Ｂの値を前記プロファイルに基づいて第２のＲ，Ｇ，Ｂの値に変換し、前記第２のＲ，Ｇ，Ｂの値を有するＲＧＢ信号を表示部に表示することを特徴とする映像信号表示方法を提供する。
【発明の効果】
【００１４】
本発明のモニタによれば、通常のカメラを用いて、表示される被写体の色を、観察者が被写体を視覚で認識した色と実質的に同じ色とすることができる。本発明の映像信号表示方法によれば、通常のカメラと通常のモニタとを用いて、モニタに表示される被写体の色を、観察者が被写体を視覚で認識した色と実質的に同じ色とすることができる。
【図面の簡単な説明】
【００１５】
【図１】各実施形態の映像信号表示方法を実現するための映像信号送受信システムの一構成例を示すブロック図である。
【図２】液晶モニタの概略的な構成図である。
【図３】第１実施形態のモニタを示すブロック図である。
【図４】第１実施形態のモニタでＲ，Ｇ，Ｂの値をＸ，Ｙ，Ｚの値に変換するために用いるプロファイルの一例を示す図である。
【図５】図４に示すプロファイルの作成方法を説明するためのブロック図である。
【図６】第２実施形態のモニタを示すブロック図である。
【図７】第２実施形態のモニタでＲ，Ｇ，Ｂの値をＲ’，Ｇ’，Ｂ’の値に変換するために用いるプロファイルの一例を示す図である。
【発明を実施するための形態】
【００１６】
以下、各実施形態のモニタ及び映像信号表示方法について、添付図面を参照して説明する。
【００１７】
＜第１実施形態＞
図１において、被写体１０には、モニタ２０ａより発せられた光20ILが照明光として照射されている。光20IL以外の光が被写体１０に照射されないようにするのがよい。
【００１８】
モニタ２０ａ及び後述するモニタ２０ｂをモニタ２０と総称する。モニタ２０ａとモニタ２０ｂとは同一機種のモニタである。モニタ２０ａとモニタ２０ｂとで用いる同一機種のモニタ２０を基準モニタと称することとする。基準モニタ２０は、いわゆるカラーマネジメントモニタである。
【００１９】
基準モニタ２０は、例えば液晶モニタである。基準モニタ２０は、有機ＥＬを用いたモニタであってもよい。
【００２０】
基準モニタ２０が液晶モニタである場合、基準モニタ２０は、概略的に図２に示すように構成される。基準モニタ２０は、Ｒ，Ｇ，Ｂの色画素が配列された表示部である液晶パネル２０１と、液晶パネル２０１に白色光を照射するバックライト２０２とを有する。
【００２１】
バックライト２０２は、液晶パネル２０１の裏面側に光源を配置した直下型方式と、液晶パネル２０１の側面側に光源を配置して、光を液晶パネル２０１の裏面側へと導光するエッジライト方式とのいずれでもよい。
【００２２】
液晶パネル２０１とバックライト２０２とを有する図２に示す基準モニタ２０をそのまま、図１におけるモニタ２０ａとして用いることができる。また、図２における基準モニタ２０の液晶パネル２０１を取り外した状態をモニタ２０ａとしても用いてもよい。
【００２３】
即ち、被写体１０に照射する照明光は、バックライト２０２（光源）より発せられ、液晶パネル２０１を透過することによってモニタ２０ａより発せられた光であってもよい。また、被写体１０に照射する照明光は、液晶パネル２０１を透過しない状態で、バックライト２０２より発せられた光であってもよい。
【００２４】
モニタ２０ａが有機ＥＬを用いたモニタである場合には、モニタ２０ａが全面白の映像を表示した状態で発せられる光を照明光とすればよい。
【００２５】
カメラ３０は被写体１０を撮影し、ＲＧＢ信号よりなる映像信号を生成して出力する。送信部４０は、映像信号をネットワーク５０へと送信する。受信部６０は、映像信号をネットワーク５０より受信する。受信部６０が受信した映像信号は、モニタ２０ｂへと供給される。
【００２６】
ネットワーク５０は、インターネットであってもよく、ローカル・エリア・ネットワーク（ＬＡＮ）のような狭域のネットワークであってもよい。ネットワーク５０がインターネットである場合、送信部４０及び受信部６０はインターネット・プロトコルに準拠して映像信号を送受信すればよい。
【００２７】
カメラ３０とモニタ２０ｂとを有線または無線にて接続して、カメラ３０より出力された映像信号を直接、モニタ２０ｂに供給してもよい。
【００２８】
また、ネットワーク５０を介して映像信号を送受信する代わりに、ＤＶＤやＳＤカード等の記録媒体を用いて、カメラ３０で生成した映像信号をモニタ２０ｂへ供給する構成としてもよい。この場合、送信部４０と受信部６０の代わりに、記録媒体に映像信号を記録する記録部と記録媒体より映像信号を再生する再生部を設ければよい。
【００２９】
モニタ２０ｂは、入力された映像信号に基づいて、液晶パネル２０１の画面に、被写体１０の映像IM10を表示する。
【００３０】
図３を用いて、モニタ２０ｂの具体的な構成を説明する。図３に示すように、モニタ２０ｂは、液晶パネル２０１の他に、ＸＹＺ表色系変換部２１１，プロファイル保持部２１２，ＲＧＢ変換部２１３，駆動部２１４を有する。図３では、バックライト２０２の図示を省略している。
【００３１】
プロファイル保持部２１２は、図４に示すような、Ｒ，Ｇ，Ｂの値を、ＸＹＺ表色系の三刺激値であるＸ，Ｙ，Ｚの値に変換するためのプロファイルＰＦ１を保持する。Ｒ，Ｇ，Ｂの値は、機器依存空間での色信号の値である。Ｘ，Ｙ，Ｚの値は、機器非依存空間（絶対色空間）での色信号の値である。
【００３２】
プロファイルＰＦ１は、３次元ルックアップテーブル（３ＤＬＵＴ）により構成することができる。
【００３３】
図５を用いて、プロファイルＰＦ１をどのように作成するのかについて説明する。図５において、基準モニタ２０は、Ｒ，Ｇ，Ｂの値を順次異ならせることによって、Ｒ，Ｇ，Ｂの値を複数設定した映像を表示する。
【００３４】
カメラ３０は、基準モニタ２０に表示される映像を撮影して、ＲＧＢ信号よりなる映像信号を生成して出力する。分光輝度計７０は、基準モニタ２０に表示される映像のＸ，Ｙ，Ｚの値を測定する。
【００３５】
分光輝度計７０は、分光測色方式の色彩計である。Ｘ，Ｙ，Ｚの値の測定方式は、分光測色方式に限らない。基準モニタ２０に表示される映像のＸ，Ｙ，Ｚの値を測定できればよく、例えば刺激値直読方式の色彩計でも代用可能である。
【００３６】
カメラ３０及び分光輝度計７０が基準モニタ２０に表示される映像の光のみを取り込むよう、基準モニタ２０とカメラ３０及び分光輝度計７０に外来光が入射しないようにするのがよい。
【００３７】
カメラ３０より出力されるＲ，Ｇ，Ｂの値と、分光輝度計７０より出力されるＸ，Ｙ，Ｚの値は収集部８０に入力される。収集部８０は、複数のＲ，Ｇ，Ｂの値それぞれとＸ，Ｙ，Ｚの値とを対応付けて記憶する。
【００３８】
プロファイル作成部９０は、収集部８０が収集して記憶したＲ，Ｇ，Ｂの値とＸ，Ｙ，Ｚの値との組み合わせの中から、プロファイルＰＦ１として必要な組み合わせを選択して、図４に示すプロファイルＰＦ１を作成する。
【００３９】
プロファイル作成部９０は、収集部８０にプロファイルＰＦ１として必要な組み合わせが存在しない場合には、収集部８０に存在する少なくとも２組の組み合わせを用いて補間することによって、必要な組み合わせを生成してもよい。
【００４０】
Ｒ，Ｇ，Ｂの値を順次異ならせた映像を基準モニタ２０に表示し、収集部８０によってＲ，Ｇ，Ｂの値とＸ，Ｙ，Ｚの値との組み合わせを収集し、プロファイル作成部９０によってプロファイルＰＦ１を作成する部分を、ソフトウェアによって自動化してもよい。
【００４１】
ところで、基準モニタ２０にＲ，Ｇ，Ｂの値を複数設定した映像を表示する代わりに、複数の色パッチを紙面に印刷した印刷物を用いることが考えられる。しかしながら、大量の色パッチを印刷した印刷物を準備するのは煩雑であり、印刷物を用いた場合には照明の仕方を工夫しなければならない。
【００４２】
基準モニタ２０を用いれば、Ｒ，Ｇ，Ｂの値を適宜に設定して、大量の色の中から選択した色の映像を順次異ならせるのは容易である。基準モニタ２０が発する光が照明光となるので、照明の仕方を工夫する必要がない。
【００４３】
よって、図５に示すプロファイルＰＦ１の作成方法は、色パッチを印刷した印刷物を用いてプロファイルＰＦ１を作成する方法よりも容易であり、高精度の３ＤＬＵＴを作成することが可能である。
【００４４】
図４に示す例では、Ｒ，Ｇ，Ｂの値をそれぞれ８ビットとしている。図４より分かるように、プロファイルＰＦ１は、Ｒ，Ｇ，Ｂの値とＸ，Ｙ，Ｚの値との組のデータが離散的となっている。これにより、Ｒ，Ｇ，Ｂの値とＸ，Ｙ，Ｚの値との全ての組み合わせを保持するよりも、プロファイルＰＦ１の容量を減らすことができる。
【００４５】
図３に戻り、ＸＹＺ表色系変換部２１１は、入力されたＲ，Ｇ，Ｂの値を、プロファイル保持部２１２に保持されたプロファイルＰＦ１を参照することによって、Ｘ，Ｙ，Ｚの値に変換する。Ｘ，Ｙ，Ｚの値は、ＲＧＢ変換部２１３に入力される。
【００４６】
ＸＹＺ表色系変換部２１１は、補間部2110を有する。プロファイルＰＦ１は、Ｒ，Ｇ，Ｂの値とＸ，Ｙ，Ｚの値との組のデータが離散的となっているため、プロファイルＰＦ１が保持していないＲ，Ｇ，Ｂの値が入力されることがある。この場合には、Ｘ，Ｙ，Ｚの値を直接的に得ることはできない。
【００４７】
そこで、補間部2110は、プロファイルＰＦ１が保持していないＲ，Ｇ，Ｂの値が入力された場合には、プロファイルＰＦ１が保持している少なくとも２組のＸ，Ｙ，Ｚの値を用いてＸ，Ｙ，Ｚの値を補間する。これによって、Ｒ，Ｇ，Ｂの値とＸ，Ｙ，Ｚの値との組が存在していない場合であっても、Ｘ，Ｙ，Ｚの値を得ることができる。
【００４８】
ＲＧＢ変換部２１３は、入力されたＸ，Ｙ，Ｚの値をモニタ２０ｂに即したＲ，Ｇ，Ｂの値に変換する。Ｒ，Ｇ，Ｂの値は機器依存空間での色信号の値であるため、機器非依存空間でのＸ，Ｙ，Ｚの値を表現することができるＲ，Ｇ，Ｂの値はモニタによって異なる。
【００４９】
ＲＧＢ変換部２１３より出力されるＲ，Ｇ，Ｂの値は、モニタ２０ｂに入力されるＲ，Ｇ，Ｂの値とは異なるため、Ｒ’，Ｇ’，Ｂ’と表記することとする。Ｒ’，Ｇ’，Ｂ’の値は、モニタによって異なることになる。
【００５０】
ＲＧＢ変換部２１３は、例えば３×３のマトリクスを用いることによって、Ｘ，Ｙ，Ｚの値をＲ’，Ｇ’，Ｂ’の値に変換することができる。ＲＧＢ変換部２１３は、３ＤＬＵＴを用いてＸ，Ｙ，Ｚの値をＲ’，Ｇ’，Ｂ’の値に変換してもよい。
【００５１】
ＲＧＢ変換部２１３より出力されたＲ’，Ｇ’，Ｂ’の値は、駆動部２１４に入力される。駆動部２１４は液晶パネル２０１を駆動して、入力されたＲ’，Ｇ’，Ｂ’の値を有するＲＧＢ信号を液晶パネル２０１に表示する。
【００５２】
図１において、被写体１０を見る観察者は、バックライト２０２からの照明光で照らされた被写体１０からの反射色を見る。モニタ２０ｂの画面に表示される被写体１０の映像IM10は、バックライト２０２からの照明光で照らされた透過物体とみなすことができる。よって、映像IM10を見る観察者は、映像IM10の透過色を見ることになる。
【００５３】
ここで、反射光（反射色）は光源の光スペクトラムに被写体の分光反射率を掛け合わせた結果であり、透過光（透過色）は光源の光スペクトラムに透過物体の分光透過率を掛け合わせた結果である。
【００５４】
液晶モニタは、Ｒ，Ｇ，Ｂの各色画素における階調が設定されることによって、被写体撮影時の照明光と同一光源であるバックライト２０２からの光に対する分光透過率を調整する。従って、被写体１０からの反射色と映像IM10の透過色とは大きく変わらず、実質的に同じであるとみなすことができる。
【００５５】
以上の構成及び原理によって、モニタ２０ｂの画面に表示される被写体１０の映像IM10の色を、観察者が被写体を視覚で認識した色と実質的に同じ色とすることが可能となる。
【００５６】
図１に示す構成は、ＲＧＢ信号の映像信号を生成する通常のカメラ３０と、ＲＧＢ信号の映像信号を表示する通常のモニタ２０ａ，２０ｂ（基準モニタ２０）とを用いればよいため、安価に実現できる。
【００５７】
以上説明した第１実施形態のモニタ（モニタ２０ｂ）の構成を改めて説明する。プロファイル保持部２１２は、基準モニタ２０にＲ，Ｇ，Ｂの値を複数設定した映像を表示させて、映像をカメラ３０によって撮影したときのＲ，Ｇ，Ｂの値と、測定したＸ，Ｙ，Ｚの値との対応関係を表すプロファイルＰＦ１を保持する。
【００５８】
ＸＹＺ表色系変換部２１１は、被写体１０をカメラ３０によって撮影することによって生成されたＲＧＢ信号における第１のＲ，Ｇ，Ｂの値を、プロファイルＰＦ１に基づいて第１のＸ，Ｙ，Ｚの値に変換する。
【００５９】
このとき、被写体１０は、基準モニタ２０より発せられた光、または、基準モニタ２０が有する光源（バックライト２０２）より発せられた光を照明光として照射した状態とする。
【００６０】
ＲＧＢ変換部２１３は、第１のＸ，Ｙ，Ｚの値を基準モニタ２０である自己のモニタ２０ｂに即した第２のＲ，Ｇ，Ｂの値に変換する。駆動部２１４は、第２のＲ，Ｇ，Ｂの値を有するＲＧＢ信号を自己のモニタ２０ｂの表示部（液晶パネル２０１）に表示するよう表示部を駆動する。
【００６１】
以上説明した第１実施形態の映像信号表示方法を改めて説明する。被写体１０に、基準モニタ２０である第１のモニタ２０ａより発せられた光、または、第１のモニタ２０ａが有する光源（バックライト２０２）より発せられた光を照明光として照射する。
【００６２】
この状態で、被写体１０をカメラ３０によって撮影してＲＧＢ信号よりなる映像信号を生成する。映像信号を基準モニタ２０である第２のモニタ２０ｂに供給する。
【００６３】
第２のモニタ２０ｂは、プロファイルＰＦ１を保持する。第２のモニタ２０ｂは、映像信号における第１のＲ，Ｇ，Ｂの値をプロファイルＰＦ１に基づいて第１のＸ，Ｙ，Ｚの値に変換する。
【００６４】
第２のモニタ２０ｂは、第１のＸ，Ｙ，Ｚの値を第２のモニタ２０ｂに即した第２のＲ，Ｇ，Ｂの値に変換する。第２のモニタ２０ｂは、第２のＲ，Ｇ，Ｂの値を有するＲＧＢ信号を表示部（液晶パネル２０１）に表示する。
【００６５】
＜第２実施形態＞
図６を用いて、第２実施形態におけるモニタ２０ｂの構成を説明する。図３においても、バックライト２０２の図示を省略している。被写体１０をカメラ３０によって撮影して、映像信号をモニタ２０ｂに供給する全体的な構成は図１と同じである。
【００６６】
図６において、ＲＧＢ変換部２２１は、入力されたＲ，Ｇ，Ｂの値を、プロファイル保持部２２２に保持されたプロファイルＰＦ２（図７参照）を参照することによって、Ｒ’，Ｇ’，Ｂ’の値に変換する。
【００６７】
図３に示す第１実施形態におけるモニタ２０ｂにおいては、入力されたＲ，Ｇ，Ｂの値をＸ，Ｙ，Ｚの値に変換し、Ｘ，Ｙ，Ｚの値をモニタ２０ｂに即したＲ’，Ｇ’，Ｂ’の値に変換する。
【００６８】
第２実施形態におけるモニタ２０ｂにおいては、入力されたＲ，Ｇ，Ｂの値を図７に示すプロファイルＰＦ２を参照することによって、モニタ２０ｂに即したＲ’，Ｇ’，Ｂ’の値に変換する。即ち、ＲＧＢ変換部２２１は、図３におけるＸＹＺ表色系変換部２１１とＲＧＢ変換部２１３とを一体化したものに相当する。
【００６９】
図７に示すプロファイルＰＦ２は、図４に示すプロファイルＰＦ１におけるＸ，Ｙ，Ｚの値を、ＲＧＢ変換部２１３と同様に、例えば３×３のマトリクスを用いることによってＲ’，Ｇ’，Ｂ’の値に変換することによって作成することができる。
【００７０】
ＲＧＢ変換部２２１は、補間部2210を有する。補間部2210は、プロファイルＰＦ２が保持していないＲ，Ｇ，Ｂの値が入力された場合には、プロファイルＰＦ２が保持している少なくとも２組のＲ’，Ｇ’，Ｂ’の値を用いてＲ’，Ｇ’，Ｂ’の値を補間する。
【００７１】
ＲＧＢ変換部２２１より出力されたＲ’，Ｇ’，Ｂ’の値は、駆動部２１４に入力される。駆動部２１４は液晶パネル２０１を駆動して、入力されたＲ’，Ｇ’，Ｂ’の値を有するＲＧＢ信号を液晶パネル２０１に表示する。
【００７２】
以上説明した第２実施形態のモニタ（モニタ２０ｂ）の構成を改めて説明する。プロファイル保持部２２２は、基準モニタ２０に第１実施形態と同様の映像を表示させて、映像をカメラ３０によって撮影したときのＲ，Ｇ，Ｂの値と、測定したＸ，Ｙ，Ｚの値をＲ，Ｇ，Ｂの値に変換したＲ，Ｇ，Ｂの値との対応関係を表すプロファイルＰＦ２を保持する。
【００７３】
Ｘ，Ｙ，Ｚの値からＲ，Ｇ，Ｂの値への変換とは、Ｘ，Ｙ，Ｚの値を基準モニタ２０である自己のモニタ２０ｂに即したＲ，Ｇ，Ｂの値に変換することである。
【００７４】
ＲＧＢ変換部２２１は、被写体１０をカメラ３０によって撮影することによって生成されたＲＧＢ信号における第１のＲ，Ｇ，Ｂの値を、プロファイルＰＦ２に基づいて自己のモニタ２０ｂに即した第２のＲ，Ｇ，Ｂの値に変換する。
【００７５】
このとき、被写体１０は、基準モニタ２０より発せられた光、または、基準モニタ２０が有する光源（バックライト２０２）より発せられた光を照明光として照射した状態とする。
【００７６】
駆動部２１４は、第２のＲ，Ｇ，Ｂの値を有するＲＧＢ信号を自己のモニタ２０ｂの表示部（液晶パネル２０１）に表示するよう表示部を駆動する。
【００７７】
以上説明した第２実施形態の映像信号表示方法を改めて説明する。被写体１０に、基準モニタ２０である第１のモニタ２０ａより発せられた光、または、第１のモニタ２０ａが有する光源（バックライト２０２）より発せられた光を照明光として照射する。
【００７８】
この状態で、被写体１０をカメラ３０によって撮影してＲＧＢ信号よりなる映像信号を生成する。映像信号を基準モニタ２０である第２のモニタ２０ｂに供給する。
【００７９】
第２のモニタ２０ｂは、プロファイルＰＦ２を保持する。第２のモニタ２０ｂは、映像信号における第１のＲ，Ｇ，Ｂの値をプロファイルＰＦ２に基づいて第２のＲ，Ｇ，Ｂの値に変換する。第２のモニタ２０ｂは、第２のＲ，Ｇ，Ｂの値を有するＲＧＢ信号を表示部（液晶パネル２０１）に表示する。
【００８０】
第１，第２実施形態において、モニタ２０ａより発せられる光20ILの色温度を変えれば、モニタ２０ｂに表示される被写体１０の映像IM10の色が変化する。意図的に光20ILの色温度を変えてもよい。
【００８１】
第１，第２実施形態は、被写体１０の色を、被写体１０が位置する場所とは離れた遠隔地で確認したい場合に利用するのに好適である。
【００８２】
本発明は以上説明した各実施形態に限定されるものではなく、本発明の要旨を逸脱しない範囲において種々変更可能である。
【符号の説明】
【００８３】
１０  被写体
２０  基準モニタ
２０ａ  モニタ（第１のモニタ，基準モニタ）
２０ｂ  モニタ（第２のモニタ，基準モニタ）
３０  カメラ
２０１  液晶パネル（表示部）
２０２  バックライト（光源）
２１１  ＸＹＺ表色系変換部
２１２，２２２  プロファイル保持部
２１３，２２１  ＲＧＢ変換部
２１４  駆動部
2110，2210  補間部
IM10  映像
ＰＦ１，ＰＦ２  プロファイル
【図１】
2015177484.tif 000003
【図２】
2015177484.tif 000004
【図３】
2015177484.tif 000005
【図４】
2015177484.tif 000006
【図５】
2015177484.tif 000007
【図６】
2015177484.tif 000008
【図７】
2015177484.tif 000009